(57)【要約】      （修正有）【課題】組立部材を迅速に回転駆動する工具接続端の磁気吸引構造改良の提供。【解決手段】磁気吸引構造改良は、駆動ユニット１０、回転駆動ユニット２０、磁性リングカバーユニット３０、磁気吸引部材４０及び磁気誘導隙間とが相対的に構成されてなる。この斬新な独特の設計によれば、前記磁性リングカバーユニット３０の内部の位置制限室３２により、磁気吸引間隔距離の変化に応じて前記駆動ユニット１０のリング組付縁２２に迅速に滑動変位可能になっており、前記磁性リングカバーユニット３０の径方向幅は、一般の固定部材の座ぐり孔に丁度収納することが可能な大きさである。【選択図】図２
0003202590.tif 000002
【実用新案登録請求の範囲】
【請求項１】
駆動ユニットと、回転駆動ユニットと、磁性リングカバーユニットと、磁気誘導隙間とを備える工具接続端の磁気吸引構造改良であって、
前記駆動ユニットは、駆動本体を有し、前記駆動本体は、駆動端を有し、
前記回転駆動ユニットは、頸状延伸段部を有し、前記頸状延伸段部は、前記駆動本体の一端に軸方向設置され、また前記頸状延伸段部の前記駆動本体に相対する一端にリング鍔形態の磁気誘導面が形成され、前記磁気誘導面は、磁気吸引性を有する材料から製作され、なお前記頸状延伸段部の他端にリング組付縁が軸設され、前記リング組付縁の一端に回転駆動端が設けられ、
前記磁性リングカバーユニットは、軸方向に中空を呈するスリーブ本体を有し、前記スリーブ本体の一端の内縁壁まわりに位置制限リング組付部が周設され、かつ前記位置制限リング組付部の隣側に円周空間形態の位置制限室が軸設され、前記位置制限室の軸方向深さ及び径方向深さは、前記位置制限リング組付部及び前記駆動ユニットの前記リング組付縁の軸方向長さ及び径方向幅よりも大きく、かつ前記駆動ユニットの前記頸状延伸段部の径方向幅は、前記磁性リングカバーユニットの前記位置制限リング組付部の径方向幅よりも小さく、従って前記位置制限リング組付部は、前記駆動ユニットの前記リング組付縁の相対的な案内装着を経た後、前記リング組付縁を前記位置制限リング組付部から離脱させて前記位置制限室内に進入させると共に、前記リング組付縁は、前記位置制限リング組付部に相対して係着位置制限が生じ、なお前記磁性リングカバーユニットの他端に前記位置制限室に相連通する収容空間が設けられ、前記収容空間に磁気吸引部材が納置され、かつ前記磁気吸引部材の中央に中空部が設けられ、前記中空部は、前記回転駆動ユニットの前記回転駆動端がその中に丁度貫設されるように供し、
前記磁気誘導隙間は、前記磁気吸引部材と前記リング組付縁との間に定義され、前記磁気吸引部材と前記リング組付縁との間の前記磁気誘導隙間は、前記磁気誘導面が前記磁性リングカバーユニットの一端に当止することにより生成されることを特徴とする、工具接続端の磁気吸引構造改良。
【請求項２】
前記回転駆動ユニットの前記リング組付縁は、環状凸縁形態であり、かつ前記リング組付縁の両端縁に環状傾斜面が設けられ、かつ前記磁性リングカバーユニットの前記位置制限リング組付部は、弾性ストッパー形態であり、前記位置制限リング組付部には、前記リング組付縁の前記環状傾斜面に相対して、対応的に摺動自在に貫装される案内傾斜面が設けられ、かつ前記位置制限リング組付部の両側に分断溝が開設され、前記リング組付縁が前記位置制限リング組付部の内部に丁度貫装された後、前記位置制限リング組付部が弾性当接状態となり、前記リング組付縁が前記位置制限リング組付部に貫通しようとすると、前記位置制限リング組付部が弾性位置復元になって前記リング組付縁を当止することを特徴とする、請求項１に記載の工具接続端の磁気吸引構造改良。
【請求項３】
前記回転駆動ユニットの前記回転駆動端は、十字形のドライバー端形態または非円形のドライバー端形態であることを特徴とする、請求項１に記載の工具接続端の磁気吸引構造改良。
【請求項４】
前記駆動ユニットの前記駆動本体及び前記駆動端は、断面六角形のドライバーヘッド形態であるものと、
続いて前記駆動ユニットは、Ｌ字状を呈する棒体形態を含み、両端にそれぞれ回転駆動ユニットが設けられるものと、
さらに前記駆動ユニットは、握り柄形態を呈する駆動端を有し、前記駆動端の一端から、直棒形態を呈する駆動本体が延伸されており、前記駆動本体の末端に回転駆動ユニットが連設されるものと、
続いて前記駆動ユニットは、スリーブ形態の駆動本体を有し、前記駆動本体の一端に非円形の係合溝が設けられ、前記係合溝には前記回転駆動ユニットが係止装着され、また前記駆動本体の他端に十字ハンドル形態を呈する駆動端が設けられるものと、
さらに前記駆動ユニットは、双ドライバーヘッド形態の駆動本体を有し、前記回転駆動ユニットは、それぞれ前記駆動ユニットの両末端位置に設けられ、かつ前記回転駆動ユニットの両端の前記回転駆動端は、それぞれ十字形及び一字形のドライバー端部形態であるもののいずれかであることを特徴とする、請求項１に記載の工具接続端の磁気吸引構造改良。
【請求項５】
前記回転駆動ユニットの前記磁気誘導面は、磁気吸引性を有する金属材料から製作されることを特徴とする、請求項１に記載の工具接続端の磁気吸引構造改良。
【請求項６】
前記磁性リングカバーユニットは、弾塑性材料から製作されることを特徴とする、請求項１に記載の工具接続端の磁気吸引構造改良。
【考案の詳細な説明】
【技術分野】
【０００１】
本考案は、工具接続端の磁気吸引構造改良に係り、特に、組立部材を迅速に回転駆動する使用を可能にする斬新な構造設計に関するものである。
【背景技術】
【０００２】
一般に、従来の台湾実用新案出願第１０４２０２９１０号のドライバーヘッドの位置決め構造改良によると、その構造は、主に、連接棒の一端に駆動端が設けられ、他端にドライバーヘッドが設けられ、前記ドライバーヘッドの前端に位置決めスリーブが設けられるものであって、前記ドライバーヘッドには位置制限リングが設けられると共に、前記駆動端との間に滑走段部が形成され、前記位置決めスリーブは、中空を呈するカバー体であり、その一端内に位置制限リングと相互に係合されると共に、前記滑走段部上に滑走するフック部が周設され、前記フック部に少なくとも２本の分断溝が環設され、前記位置決めスリーブの他端内に通孔を有する磁性部品が周設され、かつカバー体の内壁面に凸部が環設され、前記凸部の一側は前記フック部との間に滑動溝が形成され、他側は前記磁性部品の当着、位置制限を提供し、前記ドライバーヘッドが前記位置決めスリーブに貫装されると共に、前記通孔を通過させ、かつ前記フック部がいずれか１つの滑走段部位置に位置しても、前記ドライバーヘッドは前記位置決めスリーブ内から露出していることを特徴とする。しかしながら、従来の構造におけるカバー体部分は、依然として多数のフック部及び分断溝の煩雑な加工を必要とし、かつその滑合位置決めは、依然として長期使用により生じる磨損を克服できない。
【先行技術文献】
【特許文献】
【０００３】
【特許文献１】台湾実用新案出願第１０４２０２９１０号明細書
【考案の概要】
【考案が解決しようとする課題】
【０００４】
この故に、上記した従来の構造に存在している問題点について、如何にしてより理想的でかつ実用性のある斬新な構造を開発するかが、実に使用消費者が切望することであり、または関連業者が鋭意研究開発して突破しなければならない目標と方向でもある。これに鑑み、考案者は、関連する製品の製造・開発及び設計に長年携わってきた経験に基づき、上記した目標に対して、詳しい設計及び評価を重ねて、ついに確かな実用性を備えた本考案が案出された。
【０００５】
つまり、本考案の主な目的は、工具接続端の磁気吸引構造改良を提供することである。本考案が解決しようとする問題点は、従来の構造におけるカバー体部分は、依然として多数のフック部及び分断溝の煩雑な加工を必要とし、かつその滑合位置決めは、依然として長期使用により生じる磨損を克服できない問題点について改良・突破を図ることである。
【課題を解決するための手段】
【０００６】
而して、これらの問題を解決する技術的特徴として、本考案は、主に、駆動ユニットと、回転駆動ユニットと、磁性リングカバーユニットと、磁気誘導隙間とを備え、駆動ユニットは、駆動本体を有し、前記駆動本体は、駆動端を有し、前記回転駆動ユニットは、頸状延伸段部を有し、前記頸状延伸段部は、前記駆動本体の一端に軸方向設置され、また前記頸状延伸段部の前記駆動本体に相対する一端にリング鍔形態の磁気誘導面が形成され、前記磁気誘導面は、磁気吸引性を有する材料から製作され、なお前記頸状延伸段部の他端にリング組付縁が軸設され、前記リング組付縁の一端に回転駆動端が設けられ、磁性リングカバーユニットは、軸方向に中空を呈するスリーブ本体を有し、前記スリーブ本体の一端の内縁壁まわりに位置制限リング組付部が周設され、かつ前記位置制限リング組付部の隣側に円周空間形態の位置制限室が軸設され、前記位置制限室の軸方向深さ及び径方向深さは、前記位置制限リング組付部及び前記駆動ユニットのリング組付縁の軸方向長さ及び径方向幅よりも大きく、かつ前記駆動ユニットの前記頸状延伸段部の径方向幅は、前記磁性リングカバーユニットの前記位置制限リング組付部の径方向幅よりも小さく、従って前記位置制限リング組付部は、前記駆動ユニットの前記リング組付縁の相対的な案内装着を経た後、前記リング組付縁を前記位置制限リング組付部から離脱させて前記位置制限室内に進入させると共に、前記リング組付縁は、前記位置制限リング組付部に相対して係着位置制限が生じ、なお前記磁性リングカバーユニットの他端に前記位置制限室に相連通する収容空間が設けられ、前記収容空間に磁気吸引部材が納置され、かつ前記磁気吸引部材の中央に中空部が設けられ、前記中空部は、前記回転駆動ユニットの前記回転駆動端がその中に丁度貫設されるように供し、磁気誘導隙間は、前記磁気吸引部材と前記リング組付縁との間に定義され、前記磁気吸引部材と前記リング組付縁との間の磁気誘導隙間は、磁気誘導面が前記磁性リングカバーユニットの一端に当止することにより生成される。
【考案の効果】
【０００７】
この斬新な独特の設計によれば、本考案は、前記磁性リングカバーユニットの内部の前記位置制限室により、磁気吸引間隔距離の変化に応じて前記駆動ユニットの前記リング組付縁に迅速に滑動変位可能になっており、かつ本考案の前記磁性リングカバーユニットの径方向幅は、一般の固定部材の座ぐり孔に丁度収納することが可能な大きさであるため、組立部材を迅速に回転駆動する使用を可能にすることから、使用上の便利な実用進歩性を達成することができる。
【図面の簡単な説明】
【０００８】
【図１】本考案に係る工具接続端の磁気吸引構造改良を示す斜視図である。
【図２】本考案に係る工具接続端の磁気吸引構造改良を示す分解斜視図である。
【図３】本考案に係る工具接続端の磁気吸引構造改良を示す分解断面図である。
【図４】本考案に係る工具接続端の磁気吸引構造改良の動作を示す模式図１である。
【図５】本考案に係る工具接続端の磁気吸引構造改良の図４の局部拡大図である。
【図６】本考案に係る工具接続端の磁気吸引構造改良の動作を示す模式図２である。
【図７】本考案に係る工具接続端の磁気吸引構造改良の別の実施例を示す図である。
【図８】本考案に係る工具接続端の磁気吸引構造改良のさらに別の実施例を示す図である。
【図９】本考案に係る工具接続端の磁気吸引構造改良のまたさらに別の実施例を示す図である。
【図１０】本考案に係る工具接続端の磁気吸引構造改良の別の実施例を示す図である。
【図１１】本考案に係る工具接続端の磁気吸引構造改良のまたさらに別の実施例を示す図である。
【考案を実施するための形態】
【０００９】
図１乃至図６を参照されたい。これらの図面は、本考案に係る工具接続端の磁気吸引構造改良の好適な実施例を示すものである。但し、これらの実施例はあくまでも説明の便宜のために用いるものであって、実用新案登録願においてこの構造に限られるものではない。本考案は、駆動ユニット（１０）と、回転駆動ユニット（２０）と、磁性リングカバーユニット（３０）と、磁気誘導隙間（ａ）とを備える。
【００１０】
駆動ユニット（１０）は、駆動本体（１１）を有し、前記駆動本体（１１）は、駆動端（１２）を有する。
【００１１】
前記回転駆動ユニット（２０）は、頸状延伸段部（２３）を有し、前記頸状延伸段部（２３）は、前記駆動本体（１１）の一端に軸方向設置され、また前記頸状延伸段部（２３）の前記駆動本体（１１）に相対する一端にリング鍔形態の磁気誘導面（２４）が形成され、前記磁気誘導面（２４）は、磁気吸引性を有する金属材料から製作され、なお前記頸状延伸段部（２３）の他端にリング組付縁（２２）が軸設され、前記リング組付縁（２２）の一端に回転駆動端（２１）が設けられ、その中、前記回転駆動ユニット（２０）の前記リング組付縁（２２）は、環状凸縁形態であってもよく、かつ前記リング組付縁（２２）の両端縁に環状傾斜面（２２１）が設けられる。また本実施例において、前記回転駆動ユニット（２０）の前記回転駆動端（２１）は、十字形のドライバー端形態であり、かつ前記駆動本体（１１）の所定の位置に位置決めビード溝（１３）が設けられる。
【００１２】
磁性リングカバーユニット（３０）は、軸方向に中空を呈するスリーブ本体（３１）を有し、前記スリーブ本体（３１）の一端の内縁壁まわりに位置制限リング組付部（３３）が周設され、かつ前記位置制限リング組付部（３３）の隣側に円周空間形態の位置制限室（３２）が軸設され、前記位置制限室（３２）の軸方向深さ（Ｗ２）及び径方向深さ（Ｈ２）は、前記位置制限リング組付部（３３）及び前記駆動ユニット（１０）のリング組付縁（２２）の軸方向長さ（ｗ１）及び径方向幅（ｈ１）よりも大きく、かつ前記駆動ユニット（１０）の前記頸状延伸段部（２３）の径方向幅は、前記磁性リングカバーユニット（３０）の前記位置制限リング組付部（３３）の径方向幅（ｈ１）よりも小さく、なお前記磁性リングカバーユニット（３０）の前記位置制限リング組付部（３３）は、弾性ストッパー形態であってもよく、前記位置制限リング組付部（３３）には、前記リング組付縁（２２）の前記環状傾斜面（２２１）に相対して、対応的に摺動自在に貫装される案内傾斜面（３３１）が設けられ、かつ前記位置制限リング組付部（３３）の両側に分断溝（３３２）が開設され、前記リング組付縁（２２）が前記位置制限リング組付部（３３）の内部に丁度貫装された後、前記位置制限リング組付部（３３）が弾性当接状態となり、前記リング組付縁（２２）が前記位置制限リング組付部（３３）に貫通しようとすると、前記位置制限リング組付部（３３）が弾性位置復元になって前記リング組付縁（２２）を当止し、従って前記位置制限リング組付部（３３）は、前記駆動ユニット（１０）の前記リング組付縁（２２）の相対的な案内装着を経た後、前記リング組付縁（２２）を前記位置制限リング組付部（３３）から離脱させて前記位置制限室（３２）内に進入させると共に、前記リング組付縁（２２）は、前記位置制限リング組付部（３３）に相対して係着位置制限が生じ、なお前記磁性リングカバーユニット（３０）の他端に前記位置制限室（３２）に相連通する収容空間（３４）が設けられ、前記収容空間（３４）に磁気吸引部材（４０）が納置され、かつ前記磁気吸引部材（４０）の中央に中空部（４１）が設けられ、前記中空部（４１）は、前記回転駆動ユニット（２０）の前記回転駆動端（２１）がその中に丁度貫設されるように供し、その中、前記磁性リングカバーユニット（３０）は、弾塑性材料から製作される。
【００１３】
磁気誘導隙間（ａ）は、前記磁気吸引部材（４０）と前記リング組付縁（２２）との間に定義され、前記磁気吸引部材（４０）と前記リング組付縁（２２）との間の磁気誘導隙間（ａ）は、磁気誘導面（２４）が前記磁性リングカバーユニット（３０）の一端に当止することにより生成される。
【００１４】
図４乃至図６を参照し、これらの図に示すように、前記回転駆動ユニット（２０）の前記回転駆動端（２１）は、任意のネジ組立部材（５０）を吸着しない回転駆動部（５１）の常態において、前記磁気吸引部材（４０）が前記回転駆動ユニット（２０）の前記磁気誘導面（２４）に吸着されると同時に、前記スリーブ本体（３１）の前記位置制限室（３２）の前端が前記リング組付縁（２２）の前端縁に変位して当着されて前記回転駆動端（２１）が比較的に多い部分を露出し、前記回転駆動端（２１）を前記ネジ組立部材（５０）の前記回転駆動端（２１）に吸着しようとすると、前記磁気吸引部材（４０）と前記ネジ組立部材（５０）との磁気吸引間隔距離は、前記回転駆動ユニット（２０）の前記磁気誘導面（２４）よりも小さいため、前記スリーブ本体（３１）の前記位置制限室（３２）が前記ネジ組立部材（５０）に向けて変位することに従って、前記ネジ組立部材（５０）の前記回転駆動端（２１）の外縁が前記磁気吸引部材（４０）の周縁に吸着される。
【００１５】
図７を参照されたい。この図面は、本考案に係る別の実施例を示すものであり、その中、前記駆動ユニット（１０）の前記駆動本体（１０Ａ）は、断面六角形態であってもよく、その表面外縁に位置決め嵌合溝（１１Ａ）が環設されるものである。
【００１６】
図８を参照されたい。この図面は、本考案に係るさらに別の実施例を示すものであり、その中、前記駆動ユニット（１０Ｂ）は、Ｌ字状を呈する棒体形態の駆動本体（１１Ｂ）を備えてもよく、両端にそれぞれ回転駆動ユニット（２０）が設けられる。
【００１７】
図９を参照されたい。この図面は、本考案に係るまたさらに別の実施例を示すものであり、その中、前記駆動ユニット（１０Ｃ）は、握り柄形態を呈する駆動端（１２Ｃ）を有し、前記駆動端（１２Ｃ）の一端から、直棒形態を呈する駆動本体（１１Ｃ）が延伸されており、前記駆動本体（１１Ｃ）の末端に回転駆動ユニット（２０）が連設される。
【００１８】
図１０を参照されたい。この図面は、本考案に係る別の実施例を示すものであり、その中、前記駆動ユニット（１０Ｄ）は、スリーブ形態の駆動本体（１１Ｄ）を備えてもよく、前記駆動本体（１１Ｄ）の一端に非円形の係合溝（１３Ｄ）が設けられ、前記係合溝（１３Ｄ）には前記回転駆動ユニット（２０）が係止装着され、また前記駆動本体（１１Ｄ）の他端に十字ハンドル形態を呈する駆動端（１２Ｄ）が設けられる。
【００１９】
図１１を参照されたい。この図面は、本考案に係るまたさらに別の実施例を示すものであり、その中、前記駆動ユニット（１０Ｅ）は、双ドライバーヘッド形態の駆動本体（１１Ｅ）を備えてもよく、前記回転駆動ユニット（２０）は、それぞれ前記駆動ユニット（１０Ｅ）の両末端位置に設けられ、かつ前記回転駆動ユニット（２０）の両端の回転駆動端（２１）は、それぞれ十字形及び一字形のドライバー端部形態である。
【産業上の利用可能性】
【００２０】
それによって、本考案は、前記磁性リングカバーユニットの内部の前記位置制限室により、磁気吸引間隔距離の変化に応じて前記駆動ユニットの前記リング組付縁に迅速に滑動変位可能になっており、かつ本考案の前記磁性リングカバーユニットの径方向幅は、一般の固定部材の座ぐり孔に丁度収納することが可能な大きさであるため、組立部材を迅速に回転駆動する使用を可能にすることから、使用上の便利な実用進歩性を達成することができる。
【００２１】
以上の説明をまとめると、本考案の上記構造設計によれば、従来考案において直面している欠点は効果的に克服でき、さらに上記した数多くの長所及び実用的な価値を兼ね備えていることから、本考案は、創意性に優れた新たな考案であり、しかも同じ技術分野においては同じまたは類似した製品考案が見られないか、または公然と使用されていないため、本考案は、既に実用新案特許に関連する「新規性」及び「進歩性」の要件に合致し、法に従って出願する次第である。
【符号の説明】
【００２２】
１０  駆動ユニット
１１  駆動本体
１２  駆動端
２０  回転駆動ユニット
２１  回転駆動端
２２  リング組付縁
２３  頸状延伸段部
２４  磁気誘導面
３０  磁性リングカバーユニット
３１  スリーブ本体
３２  位置制限室
３３  位置制限リング組付部
３４  収容空間
４０  磁気吸引部材
４１  中空部
５０  組立部材
５１  回転駆動部
１３  位置決めビード溝
２２１  環状傾斜面
３３１  案内傾斜面
３３２  分断溝
１０Ａ  駆動本体
１１Ａ  位置決め嵌合溝
１０Ｂ  駆動ユニット
１１Ｂ  駆動本体
１０Ｃ  駆動ユニット
１１Ｃ  駆動本体
１２Ｃ  駆動端
１０Ｄ  駆動ユニット
１１Ｄ  駆動本体
１２Ｄ  駆動端
１３Ｄ  係合溝
１０Ｅ  駆動ユニット
１１Ｅ  駆動本体
ａ  磁気誘導隙間
【図１】
0003202590.tif 000003
【図２】
0003202590.tif 000004
【図３】
0003202590.tif 000005
【図４】
0003202590.tif 000006
【図５】
0003202590.tif 000007
【図６】
0003202590.tif 000008
【図７】
0003202590.tif 000009
【図８】
0003202590.tif 000010
【図９】
0003202590.tif 000011
【図１０】
0003202590.tif 000012
【図１１】
0003202590.tif 000013